(57)【特許請求の範囲】
【請求項１】
前端側に後方側の外径よりもその外径が大きい部分を少なくとも有する頭部(1a)を備えた全長に亘って貫通孔(1b)を有する円筒状を成しており、前端には少なくとも一つ以上のスリット(1c)が形成されていると共に後端側の側部には該貫通孔(1b)より小径で且つ該貫通孔(1b)に至る対向する係止用貫通穴(1d，1d)が穿設されており、歯牙修復材用カプセル(Ｃ)内に収容されている歯牙修復材を押し出すためのピストンロッド(１)と、
装着される歯牙修復材用カプセル(Ｃ)の後端部に当接する前端開口部(2a)に続いて前記ピストンロッド(１)の頭部(1a)を収納する収納部(2b)とその後方側の該ピストンロッド(１)の頭部(1a)より後方側の部位を軸方向に摺動自在に挿通させた挿通穴(2c)とが形成されており、外周には前端側に小径部位(2d)がまた後端側に大径部位(2e)が形成されている漏れ防止カバー(２)と、
幅方向の中央部に前方側から後方側へ亘ってリリース体挿通部(3aa)を有する上方壁部(3a)と、前記ピストンロッド(１)の後端部が挿通されるピストンロッド挿通穴(3ba)が穿設されている前方壁部(3b)と、前方側にピストンロッド固定ピン用穴(3ca)が貫通穿設されていると共に該ピストンロッド固定ピン用穴(3ca)の後方の下縁にラチェット用ラック部(3cb)が形成されている両側壁部(3c，3c)とから成り、該ピストンロッド挿通穴(3ba)に挿通された該ピストンロッド(１)が該ピストンロッド(１)の両係止用貫通穴(1d，1d)及び両該ピストンロッド固定ピン用穴(3ca，3ca)に挿通されたピストンロッド固定用ピン(3d)により固定されているラチェット体(３)と、
前記漏れ防止カバー(２)の後面と前記ラチェット体(３)の前方壁部(3b)の前面との間に前記ピストンロッド(１)の外周に沿って配備された圧縮コイルスプリング(４)と、
上部に前端から後方に、歯牙修復材用カプセル(Ｃ)が装着される装着部(5a)と、前記漏れ防止カバー(２)の小径部位(2d)を摺動自在に挿通する支持路(5b)と、前記ピストンロッド(１)，圧縮コイルスプリング(４)及びラチェット体(３)が該ラチェット体(３)の上方壁部(3a)が当接した状態で前後方向へ移動自在に配備される案内路(5c)とが順次設けられており、該案内路(5c)の下方の両側壁にはレバー軸用貫通穴(5d)が、後端側にはグリップ部(5e)がそれぞれ設けられており、更に該案内路(5c)の上方の位置であって且つ該ラチェット体(３)が最も後方側に移動された初期位置に位置した際に少なくとも該ラチェット体(３)のリリース体挿通部(3aa)と連通する位置にリリース体用開口部(5f)がそれぞれ形成されているハウジング本体(５)と、
後端が前記ハウジング本体(５)内の案内路(5c)より後方に固定されていると共に前端に前記ラチェット体(３)のラチェット用ラック部(3cb)の歯の谷部に挿入される係止爪(6a)が形成されており、前記ラチェット体(３)を上方へ押圧する力を常時付与して該ラチェット体(３)の前後方向への移動を阻止するラチェット体係止板バネ(６)と、
前記ハウジング本体(５)の前記レバー軸用貫通穴(5d)に固定されたレバー軸(7aa)に回転自在に装着されたレバー本体(7a)と、該レバー軸(7aa)の外周に沿って配備され該レバー本体(7a)の該レバー軸(7aa)より後方側が下方へ回転する力を常時付与する捩りバネ(7b)と、一端部が該レバー本体(7a)の該レバー軸(7aa)より後方側に軸支され他端に形成されている押圧爪(7ca)を前記ラチェット体係止用板バネ(６)の係止爪(6a)より前方に位置する前記ラチェット体(３)のラチェット用ラック部(3cb)の歯の谷部に挿入される力を該レバー本体(7a)との間に設けられた押圧体用バネ(7cb)により常時付与されている押圧体(7c)とから成り、該レバー本体(7a)の該レバー軸(7aa)よりも後方側の部位が該捩りバネ(7b)により付与された回転する力，前記圧縮コイルスプリング(４)及びラチェット体係止板バネ(６)の押圧する力に抗して上方に回転されると、該押圧体(7c)の押圧爪(7ca)がラチェット体(３)のラチェット用ラック部(3cb)の歯の谷部を前方へ押圧して該ラチェット用ラック部(3cb)の歯を一歯だけ前方へ移動せしめると共に、該レバー本体(7a)の該レバー軸(7aa)よりも後方側の部位を上方に回転させる力が解除されると、該押圧体(7c)の押圧爪(7ca)により移動せしめられた該ラチェット用ラック部(3cb)の歯の一歯後方の歯の谷部に該押圧体(7c)の押圧爪(7ca)が挿入せしめられて該レバー本体(7a)が初期位置に復帰せしめられるレバー(７)と、
前記ラチェット体(３)の両側壁部(3c，3c)間に配備された押圧部(8a)とその上方に連続して形成され該押圧部(8a)の移動方向と直角な横断面の面積よりもその横断面の面積が小さく且つ前記ハウジング本体(５)のリリース体用開口部(5f)より突出されたボタン部(8b)とから成り、該ボタン部(8b)が下方に押圧されると該押圧部(8a)で、前記ラチェット体(３)のラチェット用ラック部(3cb)の歯の谷部に挿入されている前記ラチェット体係止板バネ(６)の係止爪(6a)及び前記レバー(７)の押圧体(7c)の押圧爪(7ca)を下方へ移行させて該ラチェット用ラック部(3cb)との係止状態を解除するリリース体(８)と、
前記リリース体(８)により前記ラチェット体係止板バネ(６)の係止爪(6a)及び前記レバー(７)の押圧体(7c)の押圧爪(7ca)の該ラチェット用ラック部(3cb)との係止状態が解除された際に前記圧縮コイルスプリング(４)の押圧する力によって後方に移動せしめられた前記ラチェット体(３)を初期位置で停止するように規制せしめるストッパー手段(９)と、
から構成されていることを特徴とするカプセル内で混合練和された歯牙修復材の押出し装置。
【請求項２】
ハウジング本体(５)の案内路(5c)内の前端側とラチェット体(３)の前方壁部(3b)との間に、漏れ防止カバー(２)及び圧縮コイルスプリング(４)の外周に沿って補助圧縮コイルスプリング(１０)が配備されている請求項１に記載のカプセル内で混合練和された歯牙修復材の押出し装置。
【請求項３】
漏れ防止カバー(２)の後端外周に形成されているフランジ部(2f)とハウジング本体(５)の案内路(5c)内の前端との間の漏れ防止カバー(２)の外周に沿って、圧縮コイルスプリング(４)のバネ定数よりもバネ定数が小さい漏れ防止カバー用圧縮コイルスプリング(１１)が配備されている請求項１又は２に記載のカプセル内で混合練和された歯牙修復材の押出し装置。
【請求項４】
漏れ防止カバー(２)の収納部(2b)が、前端へ行くに従って漸次拡径する形状を成す請求項１から３の何れか１項に記載のカプセル内で混合練和された歯牙修復材の押出し装置。
【請求項５】
レバー(７)の押圧体(7c)の押圧体用バネ(7cb)が、押圧体(7c)とレバー本体(7a)との間に配備された圧縮コイルバネである請求項１から４の何れか１項に記載のカプセル内で混合練和された歯牙修復材の押出し装置。
【請求項６】
レバー(７)の押圧体(7c)の押圧体用バネ(7cb)が、押圧体(7c)とレバー本体(7a)との間に配備された板バネである請求項１から４の何れか１項に記載のカプセル内で混合練和された歯牙修復材の押出し装置。
【請求項７】
ストッパー手段(９)が、後方に移動せしめられたラチェット体(３)の上方壁部(3a)のリリース体挿通部(3aa)の前端がリリース体(８)のボタン部(8b)に当接するか、及び／又は後方に移動せしめられたラチェット体(３)に固定されたピストンロッド(１)の後端がリリース体(８)の押圧部(8a)に当接することにより、該ラチェット体(３)を初期位置で停止するように規制せしめるストッパー手段である請求項１から６の何れか１項に記載のカプセル内で混合練和された歯牙修復材の押出し装置。
【請求項８】
ラチェット体(３)の上方壁部(3a)の上面及び／又は両側壁部(3c，3c)のそれぞれの側面に、ハウジング本体(５)の案内路(5c)の内面と当接する合成樹脂製の平滑な摺動部材(3e)が貼着されている請求項１から７の何れか１項に記載のカプセル内で混合練和された歯牙修復材の押出し装置。
【発明の詳細な説明】
【技術分野】
【０００１】
本発明は、カプセル内に所定量づつ隔離されて収納されている歯科用セメントの如き歯牙修復材を構成する粉末成分と液体成分とが混合練和された後の歯牙修復材用カプセルを装着され、その混合練和された歯牙修復材を所望量だけ患者の治療部位に向けて押し出すためのカプセル内で混合練和された歯牙修復材の押出し装置に関するものである。
【背景技術】
【０００２】
歯のう蝕部分に歯科用セメントの如き歯牙修復材を充填する歯科治療方法としては、歯牙修復材を構成する粉末成分と液体成分とを所定量づつ隔離して一つの歯牙修復材用カプセル内に収納し、歯牙修復材を使用する直前にその歯牙修復材用カプセル内で粉末成分と液体成分とを隔離している隔壁を破壊した後に直ちに自動練和機にその歯牙修復材用カプセルを装着して粉末成分と液体成分とを混合練和させ、しかる後にその歯牙修復材用カプセルを歯牙修復材の押出し装置にセットして混合練和された歯牙修復材をその歯牙修復材用カプセルのノズルから所望量だけ患者の治療部位に向けて押し出す治療方法が普及してきた。
【０００３】
このような治療方法に使用される歯牙修復材用カプセルとしては、例えば予め計量された一定量の粉体成分と液体成分との２成分から成る歯牙修復材料を内部で混合練和してその混合練和物を患者の歯牙修復部位に直接投与するためのカプセルであって、粉体成分が収納される混合区画室を有するシリンダー状であってその先端部中心軸上に混合練和物の出口穴を形成させる第１開口形成部が設けられているカプセル本体と、内部に液体成分が収納される液体成分収納室を有しその先端部中心軸上に液体成分の出口穴を形成させる第２開口形成部が設けられており、前記カプセル本体の混合区画室を形成するシリンダー状部分に嵌合しており後端部近傍の外側面に該第２開口形成部を押し破って液体成分の出口穴を形成させる際にカプセル本体内へ簡単に滑り込まないようにするが大きな力を作用させた場合にはカプセル本体内へ入り込むことを阻害しない大きさの凸状ストッパーが設けられている液体カップと、前記液体カップの第２開口形成部と前記カプセル本体の第１開口形成部とを押し破るための棒状突起を有しており液体カップ内のシリンダー状部分に嵌合しているプランジャーと、後端部がカプセル本体の先端部に対応する形状を成し、カプセル本体の先端部に接続されているノズルとから成る歯牙修復材用カプセル（例えば、特許文献１参照。）等が存在する。
【０００４】
このような歯牙修復材用カプセルを使用して歯牙修復材を患者の治療部位に向けて押し出すには、先ずプランジャーを押圧することにより液体カップ内の第２開口形成部を押し破って液体カップ内の液体成分をカプセル本体の混合区画室内に流入せしめた後に、歯牙修復材用カプセル用練和装置等を用いて混合区画室内で予め収納された粉体成分と液体カップより流入してきた液体成分とを混合練和させ、しかる後に歯牙修復材の押出し装置にセットして更にプランジャーを押圧することによりカプセル本体の第１開口形成部を押し破って混合練和された歯牙修復材をその歯牙修復材用カプセルのノズルから所望量だけ患者の治療部位に向けて押し出すのである。
【０００５】
この歯牙修復材用カプセルの混合区画室内で粉体成分と液体成分とを混合練和させるために用いられる歯牙修復材用カプセル用練和装置としては、例えば歯牙修復材用カプセルを保持するカプセル保持部を振盪させたり回転させたりすることにより混合区画室内で粉体成分と液体成分とを混合練和させる歯牙修復材用カプセル用練和装置が存在する。
【０００６】
そして、このようにその混合区画室内で粉体成分と液体成分とを混合練和させた歯牙修復材用カプセルより混合練和された歯牙修復材をその歯牙修復材用カプセルのノズルから所望量だけ患者の治療部位に向けて押し出すための歯牙修復材の押出し装置としては、例えば、上方には、前端に歯牙修復材用カプセルの装着部位が、前部にピストンロッドが移動自在に挿通される案内路が貫通して、中央部にプッシュプレートを支持すると共にピストンロッドの案内路も兼ねる支持部が垂下されて、後部にピストンロッドの後端に装着されるリセットプッシャーが挿通されるリセットプッシャー案内路が貫通してそれぞれ設けられていると共にリセットプッシャー案内路の直下に螺設されているメネジにストッパープレート位置調整用ネジが螺合されており、また前部の下方にはレバーの初期位置を規定するための座ぐり部が設けられているハウジング本体と、
ハウジング本体のリセットプッシャー案内路に挿通されており、後端が閉塞された筒状を成し前部外周にフランジが設けられているリセットプッシャーと、
ハウジング本体の案内路と支持部の案内路とを貫通し後端がリセットプッシャー内に挿入されておりハウジング本体内で少なくともプッシュプレートに係合される部分に一定ピッチの溝が設けられており、初期状態においてハウジング本体内の案内路内の後端に位置する部分に止め輪嵌着用の溝が設けられていると共にその溝より前方に段部が設けられていてその段部より前方の直径が歯牙修復材用カプセルの後端と係合する直径となっているピストンロッドと、
上端が前記リセットプッシャーの前端上部に、下部が前記ストッパープレート位置調整用ネジの前端に当接するようにストッパープレート用スプリングで常時押圧されており、傾斜している状態では係合穴の上端と下端とがその係合穴を貫通している前記ピストンロッドの外周に係合してその摩擦力でピストンロッドがその軸方向に移動するのを阻止し、前記リセットプッシャーが前方に押し込まれてピストンロッドの軸心に対して直角になるとピストンロッドの外周に係合しなくなってピストンロッドがその軸方向に移動するのを阻止しなくなるストッパープレートと、
レバーが操作されない状態では前記ハウジング本体内の支持部の前面に上部後面が当接するようにプッシュプレート用スプリングで常時押圧されて前記ピストンロッドの軸心に対して直角な状態になってピストンロッドが貫通している係合穴がピストンロッドの外周に係合しなくなり、レバーが操作されてその上端が支持部の前面に当接して傾斜した状態になると係合穴の上端と下端とがピストンロッドの外周に係合してその摩擦力でピストンロッドをその軸方向に前方に移動させるプッシュプレートと、
前記ハウジング本体の前端の装着部位より後方に螺合されておりその内面に前記ピストンロッドの前部が軸方向に摺動して移動し得る貫通穴が穿設されている固定ナットと、ピストンロッドに遊嵌されておりピストンロッドの止め輪嵌着用の溝に係合されている止め輪でその後面を支持されているリングの前面と固定ナットの後面との間に設けられており前記ストッパープレートの係合穴がピストンロッドの外周に係合している摩擦力に打ち勝ってピストンロッドをその軸方向に押し戻さない力を付与するピストンロッド押し戻し用スプリングと、
前記ハウジング本体に固定されたレバー軸に回転自在に装着されており、上部後端にハウジング本体の後部のスプリング支持部材にその後端を装着された引張りスプリングの前端が装着されたスプリング支持部が設けられており、前部にハウジング本体の座ぐり部と当接する突起部が設けられており、上部に前記プッシュプレートの下端後部に当接するプッシュプレート押圧部が設けられているレバーと、より成るカプセル内で混合練和された歯牙修復材の押出し装置（例えば、特許文献２参照。）等が存在する。
【０００７】
しかしながら、このようなカプセル内で混合練和された歯牙修復材の押出し装置では、歯牙修復材を歯牙修復材用カプセル内から押し出すのに大きな力を必要とせずに所望の量の歯牙修復材を押し出すことができるものの、このようなカプセル内で混合練和された歯牙修復材の押出し装置を用いて混合練和された歯牙修復材を歯牙修復材用カプセル内から押し出すと、歯牙修復材用カプセルのカプセル本体内において混合練和されずに残留した粉体成分（特に、プランジャーを押圧してその先端部の棒状突起で液体カップの第２開口形成部を突き破って液体カップ内の液体成分をカプセル本体の混合区画室内に流入せしめた際に、混合区画室内の圧力が高まってカプセル本体の内周と液体カップの外周との間に存在する僅かな空間に入り込んでしまった粉体成分）等が、歯牙修復材用カプセルの後端部のカプセル本体の内周と液体カップの外周との間の空間から一気に外方へ噴出するという現象が生じてしまい、このように噴出した粉体成分等が患者や歯科医の顔面にかかってしまったり患者や歯科医が誤って吸引してしまったりするという欠点があるばかりか、粉体成分がハウジング本体内に入り込んでしまうことによりカプセル内で混合練和された歯牙修復材の押出し装置自体が動作不良を起こしてしまうという欠点があった。
【０００８】
また、このカプセル内で混合練和された歯牙修復材の押出し装置は、レバーが操作されてプッシュプレートが傾斜した状態になると、このプッシュプレートの係合穴の上端と下端とが、少なくともプッシュプレートに係合される部分に一定ピッチの溝が設けられているピストンロッドの外周に係合してその摩擦力でこのピストンロッドをその軸方向に前方に移動させる構造となっているから、このプッシュプレートの係合穴が丸穴である場合には係合穴とピストンロッドの外周との係合は点接触で、またプッシュプレートの係合穴が楕円形の穴である場合には係合穴とピストンロッドの外周との係合は長さの短い線接触であって、係合穴とピストンロッドの外周との係合部での接触面積は非常に小さいので、レバーを操作した際の力はそのごく僅かな接触面に集中してしまい、ピストンロッドをその軸方向に前方へ移動させる操作を繰り返すと、プッシュプレートの係合穴やピストンロッドの外周が短期間で摩耗したり、変形や欠損等が生じてしまったりし易いので、その寿命が短いという欠点があり、更に前記の如く歯牙修復材用カプセルのカプセル本体内において混合練和されずに残留した粉体成分等が歯牙修復材用カプセルの後端部から一気に外方へ噴出するという現象が生じてしまうことによって、粉体成分等がハウジング本体内に入り込んでピストンロッドの外周やプッシュプレートの係合穴等に付着してしまうと、レバーを操作した際に付着した粉体成分によりプッシュプレートの係合穴とピストンロッドの外周とが係合せずに滑ってしまうためにピストンロッドをその軸方向に前方へ移動させることができないという欠点があるばかりか、レバーが一気に回転してしまうことによって思わぬ怪我を負ってしまうという欠点もあった。
【０００９】
【特許文献１】特開２００２−１９１６２２号公報
【特許文献２】特開平９−２５３０９５号公報
【発明の開示】
【発明が解決しようとする課題】
【００１０】
本発明は、前記従来技術の欠点を解消し、歯牙修復材用カプセル内に収容されている歯牙修復材を所望量だけ患者の治療部位に向けて押し出すためのカプセル内で混合練和された歯牙修復材の押出し装置であって、特に歯牙修復材用カプセルのカプセル本体内において混合練和されずに残留した粉体成分等が歯牙修復材用カプセルの後端部から一気に外方へ噴出するという現象が生じてしまったとしても、粉体成分等が患者や歯科医の方へ飛散してしまうことなく、且つ耐久性及び操作性に優れたカプセル内で混合練和された歯牙修復材の押出し装置を提供することを課題とする。
【課題を解決するための手段】
【００１１】
本発明者らは前記課題を解決すべく鋭意研究の結果、ハウジング本体の歯牙修復材用カプセルが装着される装着部の後方に、歯牙修復材用カプセルの後端部より一気に噴出する粉体成分等を外方へ飛散させることなくハウジング本体へ導くための漏れ防止カバーを配備し、且つハウジング本体の装着部に歯牙修復材用カプセルを装着する際にこの漏れ防止カバーが干渉して邪魔とならないように初期位置ではこの漏れ防止カバーがハウジング本体内に挿入された状態となるように位置せしめると共にレバーを操作してピストンロッドを前方へ移動させるとこの漏れ防止カバーがハウジング本体の装着部に装着された歯牙修復材用カプセル本体の後端部に当接するように漏れ防止カバーを前方へ移動させる機構を設け、そしてレバーを操作してピストンロッドを前方へ移動させるための機構として、耐久性を有し且つ動作が確実であるラチェット機構を採用すれば、歯牙修復材用カプセルのカプセル本体内において混合練和されずに残留した粉体成分が歯牙修復材用カプセルの後端部から一気に外方へ噴出するという現象が生じてしまったとしても、粉体成分が患者や歯科医の方へ飛散してしまうことなく、且つ耐久性及び操作性を格段に向上させることができることを究明して本発明を完成したのである。
【００１２】
即ち本発明は、前端側に後方側の外径よりもその外径が大きい部分を少なくとも有する頭部を備えた全長に亘って貫通孔を有する円筒状を成しており、前端には少なくとも一つ以上のスリットが形成されていると共に後端側の側部には該貫通孔より小径で且つ該貫通孔に至る対向する係止用貫通穴が穿設されており、歯牙修復材用カプセル内に収容されている歯牙修復材を押し出すためのピストンロッドと、
装着される歯牙修復材用カプセルの後端部に当接する前端開口部に続いて前記ピストンロッドの頭部を収納する収納部とその後方側の該ピストンロッドの頭部より後方側の部位を軸方向に摺動自在に挿通させた挿通穴とが形成されており、外周には前端側に小径部位がまた後端側に大径部位が形成されている漏れ防止カバーと、
幅方向の中央部に前方側から後方側へ亘ってリリース体挿通部を有する上方壁部と、前記ピストンロッドの後端部が挿通されるピストンロッド挿通穴が穿設されている前方壁部と、前方側にピストンロッド固定ピン用穴が貫通穿設されていると共に該ピストンロッド固定ピン用穴の後方の下縁にラチェット用ラック部が形成されている両側壁部とから成り、該ピストンロッド挿通穴に挿通された該ピストンロッドが該ピストンロッドの両係止用貫通穴及び両該ピストンロッド固定ピン用穴に挿通されたピストンロッド固定用ピンにより固定されているラチェット体と、
前記漏れ防止カバーの後面と前記ラチェット体の前方壁部の前面との間に前記ピストンロッドの外周に沿って配備された圧縮コイルスプリングと、
上部に前端から後方に、歯牙修復材用カプセルが装着される装着部と、前記漏れ防止カバーの小径部位を摺動自在に挿通する支持路と、前記ピストンロッド，圧縮コイルスプリング及びラチェット体が該ラチェット体の上方壁部が当接した状態で前後方向へ移動自在に配備される案内路とが順次設けられており、該案内路の下方の両側壁にはレバー軸用貫通穴が、後端側にはグリップ部がそれぞれ設けられており、更に該案内路の上方の位置であって且つ該ラチェット体が最も後方側に移動された初期位置に位置した際に少なくとも該ラチェット体のリリース体挿通部と連通する位置にリリース体用開口部がそれぞれ形成されているハウジング本体と、
後端が前記ハウジング本体内の案内路より後方に固定されていると共に前端に前記ラチェット体のラチェット用ラック部の歯の谷部に挿入される係止爪が形成されており、前記ラチェット体を上方へ押圧する力を常時付与して該ラチェット体の前後方向への移動を阻止するラチェット体係止板バネと、
前記ハウジング本体の前記レバー軸用貫通穴に固定されたレバー軸に回転自在に装着されたレバー本体と、該レバー軸の外周に沿って配備され該レバー本体の該レバー軸より後方側が下方へ回転する力を常時付与する捩りバネと、一端部が該レバー本体の該レバー軸より後方側に軸支され他端に形成されている押圧爪を前記ラチェット体係止用板バネの係止爪より前方に位置する前記ラチェット体のラチェット用ラック部の歯の谷部に挿入される力を該レバー本体との間に設けられた押圧体用バネにより常時付与されている押圧体とから成り、該レバー本体の該レバー軸よりも後方側の部位が該捩りバネにより付与された回転する力，前記圧縮コイルスプリング及びラチェット体係止板バネの押圧する力に抗して上方に回転されると、該押圧体の押圧爪がラチェット体のラチェット用ラック部の歯の谷部を前方へ押圧して該ラチェット用ラック部の歯を一歯だけ前方へ移動せしめると共に、該レバー本体の該レバー軸よりも後方側の部位を上方に回転させる力が解除されると、該押圧体の押圧爪により移動せしめられた該ラチェット用ラック部の歯の一歯後方の歯の谷部に該押圧体の押圧爪が挿入せしめられて該レバー本体が初期位置に復帰せしめられるレバーと、
前記ラチェット体の両側壁部間に配備された押圧部とその上方に連続して形成され該押圧部の移動方向と直角な横断面の面積よりもその横断面の面積が小さく且つ前記ハウジング本体のリリース体用開口部より突出されたボタン部とから成り、該ボタン部を下方に押圧されると該押圧部で、前記ラチェット体のラチェット用ラック部の歯の谷部に挿入されている前記ラチェット体係止板バネの係止爪及び前記レバーの押圧体の押圧爪を下方へ移行させて該ラチェット用ラック部との係止状態を解除するリリース体と、
前記リリース体により前記ラチェット体係止板バネの係止爪及び前記レバーの押圧体の押圧爪の該ラチェット用ラック部との係止状態が解除された際に前記圧縮コイルスプリングの押圧する力によって後方に移動せしめられた前記ラチェット体を初期位置で停止するように規制せしめるストッパー手段と、
から構成されていることを特徴とするカプセル内で混合練和された歯牙修復材の押出し装置である。
【００１３】
そして、このような本発明に係るカプセル内で混合練和された歯牙修復材の押出し装置において、ハウジング本体の案内路内の前端側とラチェット体の前方壁部との間に、漏れ防止カバー及び圧縮コイルスプリングの外周に沿って補助圧縮コイルスプリングが配備されていたり、漏れ防止カバーの後端外周に形成されているフランジ部とハウジング本体の案内路内の前端との間の漏れ防止カバーの外周に沿って圧縮コイルスプリングのバネ定数よりもバネ定数が小さい漏れ防止カバー用圧縮コイルスプリングが配備されていたりすれば、リリース体のボタン部を下方へ押圧してピストンロッド及び漏れ防止カバーを後方の初期位置へ戻す際の動作性を格段に向上させることができて好ましいことも究明したのである。
【００１４】
また、漏れ防止カバーの収納部が前端へ行くに従って漸次拡径する形状を成すものであれば、歯牙修復材用カプセルの後端部から噴出する粉体成分等がピストンロッドの貫通孔へ流入し易いので好ましく、またレバーの押圧体の押圧体用バネとしては、押圧体とレバー本体との間に配備された圧縮コイルバネや、押圧体とレバー本体との間に配備された板バネを採用することができるので、ハウジング本体やレバー等の形状に合わせて適宜押圧体用バネを選択することができて好ましく、更にストッパー手段が、後方に移動せしめられたラチェット体の上方壁部のリリース体挿通部の前端がリリース体のボタン部に当接するか、及び／又は後方に移動せしめられたラチェット体に固定されたピストンロッドの後端がリリース体の押圧部に当接することによりラチェット体を初期位置で停止するように規制せしめるストッパー手段であれば、圧縮コイルスプリングの押圧する力によって後方に移動せしめられたラチェット体を確実に初期位置で停止するように規制することができて好ましいことも究明したのである。
【００１５】
更に、ラチェット体の上方壁部の上面及び／又は両側壁部のそれぞれの側面に、ハウジング本体の案内路の内面と当接する合成樹脂製の平滑な摺動部材が貼着されていたりすれば、ラチェット体が前後方向へ移動する際のハウジング本体の案内路との摩擦力が低下させることができて好ましいことも究明したのである。
【発明の効果】
【００１６】
本発明に係るカプセル内で混合練和された歯牙修復材の押出し装置は、前記した構成より成るものであるから、初期位置では漏れ防止カバーがハウジング本体の支持路内に位置し且つピストンロッドの頭部が漏れ防止カバーの収納部に収納された状態となっているので、ハウジング本体の装着部に歯牙修復材用カプセルを装着する際にはこれらの漏れ防止カバーやピストンロッドが干渉することないため容易に歯牙修復材用カプセルを装着することができると共に、レバーを操作してピストンロッドを前方へ移動させると、ピストンロッドの前方への移動に伴って漏れ防止カバーも圧縮コイルスプリングの押圧する力により前方へ移動して歯牙修復材用カプセルの後端部に当接する位置に至るから、歯牙修復材用カプセル内に収容されている歯牙修復材を押し出すための通常のレバーの操作のみで、歯牙修復材用カプセルの後端部に漏れ防止カバーを当接させることができるので、漏れ防止カバーが存在することによる煩わしい操作が増えることなくその操作性が非常に良いのである。
【００１７】
そして、ハウジング本体の装着部に装着された歯牙修復材用カプセルをピストンロッドにより押圧して歯牙修復材用カプセル内に収容されている歯牙修復材を押し出す際に、歯牙修復材用カプセルの後端部には既に漏れ防止カバーの前端開口部が当接した状態となっているから、歯牙修復材用カプセルのカプセル本体内において混合練和されずに残留した粉体成分等が歯牙修復材用カプセルの後端部から一気に噴出したとしても、噴出した粉体成分等は、漏れ防止カバーの存在により外方へ噴出することなくピストンロッドのスリットや貫通孔の開口からピストンロッドの貫通孔を経てハウジング本体内へと至るので、粉体成分等が患者や歯科医の顔面にかかってしまったり患者や歯科医が誤って吸引してしまったりすることを防止することができるのである。
【００１８】
また、レバーのレバー本体にその一端部がレバー本体のレバー軸より後方側に軸支された押圧体の他端に形成されている押圧爪で、ピストンロッドが固定されているラチェット体の両側壁部の下縁に形成されたラチェット用ラック部の歯の谷部を前方へ押圧してラチェット用ラック部の歯を一歯だけ前方へ移動せしめることによって、ピストンロッドを前方へ移動させる構成と成っているから、プッシュプレートの係合穴とピストンロッドの外周とを係合させてその摩擦力でピストンロッド前方へ移動させる従来の装置と比較して、その動作の確実性や耐久性が格段に向上しているだけでなく、前記の如く漏れ防止カバーによって歯牙修復材用カプセルの後端部から噴出した粉体成分が総てハウジング本体内に流入して、粉体成分等がピストンロッドの外周、漏れ防止カバーの外周、ラチェット用ラック部や押圧爪等に付着してしまったとしても、押圧爪でラチェット用ラック部の歯の谷部を確実に捕らえて前方へ押圧することができるので、ピストンロッドの前方への移動が阻害されてしまったり、レバーが一気に回転してしまったりするというトラブルを防止することができるのである。
【００１９】
更に、歯牙修復材用カプセル内に収容されている歯牙修復材を押し出した後にピストンロッドを後方の初期位置へ戻す際にリリース体のボタン部を下方へ押圧すると、リリース体の押圧部でラチェット体のラチェット用ラック部の歯の谷部に挿入されているラチェット体係止板バネの係止爪及びレバーの押圧体の押圧爪が下方へ移行され、圧縮コイルスプリングの押圧する力によってラチェット体がストッパー手段により停止されるまで後方へ移動するのに伴い、ラチェット体に固定されてるピストンロッドが初期位置へ戻る構成となっているのであるが、このピストンロッドは前端側に後方側の外径よりもその外径が大きい部分を少なくとも有する頭部を備えていると共に、このピストンロッドが挿通されている漏れ防止カバーはピストンロッドの頭部を収納する収納部とその後方側のピストンロッドの頭部より後方側の部位を軸方向に摺動自在に挿通させた挿通穴とが形成されているから、リリース体のボタン部を下方へ押圧する操作のみで、ピストンロッドが初期位置へ戻ると共に、ピストンロッドが後方へ移動する力によってピストンロッドの頭部で漏れ防止カバーの収納部の内壁を後方へ押圧し漏れ防止カバーをも初期位置へと移行させることができるので、ハウジング本体の装着部に装着された使用後の歯牙修復材用カプセルを容易に取り外すことができ、その操作性を格段に向上させることができるのである。
【００２０】
更に、本発明に係るカプセル内で混合練和された歯牙修復材の押出し装置は、前記の如く漏れ防止カバーやラチェット体等の機構により歯牙修復材用カプセルのカプセル本体内において混合練和されずに残留した粉体成分等が歯牙修復材用カプセルの後端部から一気に外方へ噴出するという現象を克服するものであるから、歯牙修復材用カプセル自体に加工等を施す必要が全くなく通常の形状の歯牙修復材用カプセルを用いることができるので、ランニングコストを上げることなく経済的であると共に地球環境に対する負荷を上げてしまうことがないのである。即ち、歯牙修復材用カプセルは収容されている歯牙修復材が混合練和された後に使用されずに歯牙修復材用カプセル内に残存したものはそのまま固化してしまうことから通常は使い捨てのものであり、仮りに歯牙修復材用カプセルに加工や附加物等を施すことによって前記現象を克服した場合には、歯牙修復材用カプセル自体の単価が上がってしまうと共に歯牙修復材用カプセルを構成する材料が増加してしまうので、結果的に不経済的且つ環境負荷が上がってしまうのであるが、本発明に係るカプセル内で混合練和された歯牙修復材の押出し装置の場合には、通常の形状の歯牙修復材用カプセルをそのまま用いることができるので、そのような問題は生じないのである。
【００２１】
そして、このような本発明に係るカプセル内で混合練和された歯牙修復材の押出し装置において、ハウジング本体の案内路内の前端側とラチェット体の前方壁部との間に漏れ防止カバー及び圧縮コイルスプリングの外周に沿って補助圧縮コイルスプリングが配備されていたり、漏れ防止カバーの後端外周に形成されているフランジ部とハウジング本体の案内路内の前端との間の漏れ防止カバーの外周に沿って圧縮コイルスプリングのバネ定数よりもバネ定数が小さい漏れ防止カバー用圧縮コイルスプリングが配備されていたりすれば、リリース体のボタン部を下方へ押圧してピストンロッド及び漏れ防止カバーを後方の初期位置へ戻す際に、補助圧縮コイルスプリングの場合には漏れ防止カバーに挿通されているピストンロッドが固定されたラチェット体自体にハウジング本体の案内路内の前端側を基点として後方へ移行させる力が働き、また漏れ防止カバー用圧縮コイルスプリングの場合には、漏れ防止カバー自体にハウジング本体の案内路内の前端側を基点として後方へ移行させる力が働くと共にこの後方へ移行させる力が漏れ防止カバーの後面を基点としてピストンロッドが固定されたラチェット体自体をも後方へ移行させる力が働くので、ピストンロッド及び漏れ防止カバーを後方の初期位置へ戻す際の動作性を格段に向上させることができて好ましいばかりでなく、仮りにピストンロッドの外周や漏れ防止カバーの外周に粉体成分等が付着してしまったとしても、確実にピストンロッド及び漏れ防止カバーを後方の初期位置へ戻すことができるので好ましい。
【００２２】
また、漏れ防止カバーの収納部が、前端へ行くに従って漸次拡径する形状を成すものであれば、歯牙修復材用カプセルの後端部から噴出する粉体成分等がピストンロッドの貫通孔へ流入し易いので好ましいばかりでなく、粉体成分等が収納部の内面に付着し難いので好ましく、またレバーの押圧体の押圧体用バネとして、押圧体とレバー本体との間に配備された圧縮コイルバネや、押圧体とレバー本体との間に配備された板バネを採用することができるので、ハウジング本体やレバー等の形状に合わせて適宜押圧体用バネを選択することができて好ましい。
【００２３】
更に、ストッパー手段が、後方に移動せしめられたラチェット体の上方壁部のリリース体挿通部の前端がリリース体のボタン部に当接するか、及び／又は後方に移動せしめられたラチェット体に固定されたピストンロッドの後端がリリース体の押圧部に当接することにより、ラチェット体を初期位置で停止するように規制せしめるストッパー手段であれば、圧縮コイルスプリングの押圧する力によって後方に移動せしめられたラチェット体を確実に初期位置で停止するように規制することができて好ましいばかりでなく、ラチェット体の上方壁部のリリース体挿通部、リリース体のボタン部や押圧部の形状を変更するだけでストッパー手段とすることができて好ましい。
【００２４】
更に、ラチェット体の上方壁部の上面及び／又は両側壁部のそれぞれの側面に、ハウジング本体の案内路の内面と当接する合成樹脂製の平滑な摺動部材が貼着されていたりすれば、ラチェット体が前後方向へ移動する際のハウジング本体の案内路との摩擦力を低下させることができて好ましいばかりでなく、本発明装置全体の動作を円滑にすることができて好ましい。
【発明を実施するための最良の形態】
【００２５】
以下、図面により本発明に係るカプセル内で混合練和された歯牙修復材の押出し装置について詳細に説明する。
図１は本発明に係るカプセル内で混合練和された歯牙修復材の押出し装置１の実施例を示す側面説明図、図２は図１の平面説明図、図３は図１の拡大側断面説明図、図４は図３に示す本発明に係る本カプセル内で混合練和された歯牙修復材の押出し装置においてピストンロッドを前方へ移動させた状態を示す側断面説明図、図５は図３に示す本発明に係るカプセル内で混合練和された歯牙修復材の押出し装置において歯牙修復材用カプセルを装着し歯牙修復材を押し出した状態を示す側断面説明図、図６は本発明に係るカプセル内で混合練和された歯牙修復材の押出し装置の他の実施例を示す側断面説明図、図７は本発明に用いられるピストンロッド、漏れ防止カバー、ラチェット体、及び圧縮コイルスプリングを組み立てた状態を示す一部断面拡大側面説明図、図８は図７の底面説明図である。
【００２６】
図面中、１は前端側に後方側の外径よりもその外径が大きい部分を少なくとも有する頭部1aを備えた全長に亘って貫通孔1bを有する円筒状を成しており、前端には少なくとも一つ以上のスリット1cがされていると共に後端側の側部には貫通孔1bより小径で且つ貫通孔1bに至る対向する係止用貫通穴1d，1dが穿設されており、歯牙修復材用カプセルＣ内に収容されている歯牙修復材を押し出すためのピストンロッドであり、後述する漏れ防止カバー２にその後端側より挿入されると共に後述する圧縮コイルスプリング４がその外周に沿って配備された状態で後述するラチェット体３に固定されており、その前端で後述するハウジング本体５に装着された歯牙修復材用カプセルＣを押圧して歯牙修復材用カプセルＣ内に収容されている混合練和された歯牙修復材を押し出し、且つ歯牙修復材用カプセルＣの後端部から一気に噴出した粉体成分等をハウジング本体５内へ導く役目を果たす。
【００２７】
このピストンロッド１の前端側には、図３〜図７に示す如く後方側の外径よりもその外径が大きい部分を少なくとも有する頭部1aを備えており、このピストンロッド１の頭部1aは初期位置において図３及び図６に示す如く後述する漏れ防止カバー２の収納部2bに収納された状態となっており、ピストンロッド１が固定された後述するラチェット体３が前方へ移動されると、図５に示す如く前方へ移動して歯牙修復材用カプセルＣを押圧し、後述するリリース体８が押圧されることによりラチェット体３が後方の初期位置へ戻ると、再び収納部2bに収納されると共に収納部2bの内壁を後方へ押圧し漏れ防止カバー２をも初期位置へと移行させる。
【００２８】
そして、図３〜図７に示す如くこのピストンロッド１は、全長に亘って貫通孔1bを有し且つ前端には少なくとも一つ以上のスリット1cが形成されており、ピストンロッド１の前端で歯牙修復材用カプセルＣを押圧した際に歯牙修復材用カプセルＣの後端部から一気に噴出した粉体成分等は、このスリット1cや貫通孔1bの開口から貫通孔1b内へと入り込んで後述するハウジング本体５内へ至るのである。
【００２９】
また、ピストンロッド１の後端側の側部には、図３〜図５に示す如く貫通孔1bより小径で且つ貫通孔1bに至る対向する係止用貫通穴1d，1dが穿設されており、この係止用貫通穴1d，1dは、後述するラチェット体３のピストンロッド固定用ピン3dをラチェット体３の一方のピストンロッド固定ピン用穴3caから挿通しそして両係止用貫通穴1d，1dを貫通させ更に他方のピストンロッド固定ピン用穴3caに至るように挿入することにより、ラチェット体３にピストンロッド１を固定するためのものである。
【００３０】
２は装着される歯牙修復材用カプセルＣの後端部に当接する前端開口部2aに続いてピストンロッド１の頭部1aを収納する収納部2bとその後方側のピストンロッド１の頭部1aより後方側の部位を軸方向に摺動自在に挿通させた挿通穴2cとが形成されており、外周には前端側に小径部位2dがまた後端側に大径部位2eが形成されている漏れ防止カバーであり、歯牙修復材用カプセルＣのカプセル本体内において混合練和されずに残留した粉体成分等が歯牙修復材用カプセルＣの後端部から一気に噴出したとしても、噴出した粉体成分等が外方へ飛散して患者や歯科医の顔面にかかってしまったり患者や歯科医が誤って吸引してしまったりすることを防止するのを防止する役目を果たす。
【００３１】
この漏れ防止カバー２には、図３〜図７に示す如く装着される歯牙修復材用カプセルＣの後端部に当接する前端開口部2aに続いてピストンロッド１の頭部1aを収納する収納部2bが形成されているが、この漏れ防止カバー２の収納部2bに、後述するハウジング本体５の装着部5aに歯科修復材用カプセルＣを装着する際にピストンロッド１が初期位置に位置した状態でピストンロッド１の頭部1aが邪魔とならないようにピストンロッド１の頭部1aが収納される。
【００３２】
この漏れ防止カバー２の収納部2bとしては、少なくともピストンロッド１の頭部1aを収納することが可能な形状であればどのような形状であってもよいが、例えば図３〜図７に示す如く収納部2bが前端へ行くに従って漸次拡径する形状を成すものであれば、歯牙修復材用カプセルＣの後端部から噴出する粉体成分等がピストンロッド１の貫通孔1bへ流入し易いので好ましいばかりでなく、粉体成分等が収納部2bの内面に付着し難いので好ましい。
【００３３】
そして、図７及び図８に示す如くこの漏れ防止カバー２の外周には前端側に小径部位2dがまた後端側に大径部位2eが形成されており、図３及び図６に示す如くこの漏れ防止カバー２は、その前端側の小径部位2dが後述するハウジング本体５の支持路5b内に摺動自在に挿通された状態で支持されていると共に、図４及び図５に示す如く漏れ防止カバー２が前方へ移動した際にその後端側の大径部位2eの前端がハウジング本体５の案内路5c内の前端に当接することにより漏れ防止カバー２全体がハウジング本体５の支持路5bより前方へ飛び出してしまうのを規制される。
【００３４】
また、図３〜図５に示す如くこの漏れ防止カバー２の後端外周にフランジ部2fが形成されていると共に、このフランジ部2fと後述するハウジング本体５の案内路5c内の前端との間の漏れ防止カバー２の外周に沿って後述する圧縮コイルスプリング４のバネ定数よりもバネ定数が小さい漏れ防止カバー用圧縮コイルスプリング１１が配備されていれば、漏れ防止カバー２自体にハウジング本体５の案内路5c内の前端側を基点として後方へ移行させる力が働くと共にこの後方へ移行させる力が漏れ防止カバー２の後面を基点としてピストンロッド１が固定された後述するラチェット体３自体をも後方へ移行させる力が働くので、ピストンロッド１及び漏れ防止カバー２を後方の初期位置へ戻す際の動作性を格段に向上させることができて好ましいばかりでなく、仮りにピストンロッド１の外周や漏れ防止カバー２の外周に粉体成分等が付着してしまったとしても、確実にピストンロッド１及び漏れ防止カバー２を後方の初期位置へ戻すことができるので好ましい。
【００３５】
このような態様において漏れ防止カバー用圧縮コイルスプリング１１のバネ定数が後述する圧縮コイルスプリング４のバネ定数よりも小さいことが必要であるのは、仮りに漏れ防止カバー用圧縮コイルスプリング１１のバネ定数が圧縮コイルスプリング４のバネ定数よりも大きい場合には、後述するラチェット体３を前方へ移動させた際に、漏れ防止カバー用圧縮コイルスプリング１１よりも先に圧縮コイルスプリング４が圧縮されてしまうためピストンロッド１のみが前方へ移動しまうことによって、漏れ防止カバー２が歯牙修復材用カプセルＣの後端部に当接しない状態でピストンロッド１が歯牙修復材用カプセルＣを押圧し、結局歯牙修復材用カプセルＣのカプセル本体内において混合練和されずに残留した粉体成分等が歯牙修復材用カプセルＣの後端部から一気に外方へ噴出してしまうからである。
【００３６】
３は幅方向の中央部に前方側から後方側へ亘ってリリース体挿通部3aaを有する上方壁部3aと、ピストンロッド１の後端部が挿通されるピストンロッド挿通穴3baが穿設されている前方壁部3bと、前方側にピストンロッド固定ピン用穴3caが貫通穿設されていると共にピストンロッド固定ピン用穴3caの後方の下縁にラチェット用ラック部3cbが形成されている両側壁部3c，3cとから成り、ピストンロッド挿通穴3baに挿通されたピストンロッド１がピストンロッド１の両係止用貫通穴1d，1d及び両ピストンロッド固定ピン用穴3ca，3caに挿通されたピストンロッド固定用ピン3dにより固定されているラチェット体であり、後述する圧縮コイルスプリング４に抗して後述するレバー７の押圧体7cの押圧爪7caにより前方へ移動されることにより、ピストンロッド１及び漏れ止めカバー２を前方へ移動させる役目を果たす。
【００３７】
このラチェット体３は、上方壁部3aと前方壁部3bと両側壁部3c，3cとで構成されており、このラチェット体３の上方壁部3aには、幅方向の中央部に前方側から後方側へ亘ってリリース体挿通部3aaを有しており、このリリース体挿通部3aaは図３〜図６に示す如く後述するリリース体８のボタン部8bが挿通されるものである。
【００３８】
このラチェット体３の前方壁部3bには、ピストンロッド１の後端部が挿通されるピストンロッド挿通穴3baが穿設されていると共に、この両側壁部3c，3cには、それぞれその前方側にピストンロッド固定ピン用穴3caが貫通穿設されており、このラチェット体３にピストンロッド１を固定する際には、ピストンロッド１をその後端側より漏れ防止カバー２の前端開口部2aへ挿入し、漏れ防止カバー２の後端側より突出したピストンロッド１の外周に沿うように後述する圧縮コイルスプリング４を配備した後に、ピストンロッド１の後端をその係止用貫通穴1d，1dとラチェット体３の両側壁部3c，3cのピストンロッド固定ピン用穴3ca，3caとが側壁部3c側より見て略一直線状に並んだ状態となるようにラチェット体３の前方壁部3bのピストンロッド挿通穴3baに挿通し、しかる後にピストンロッド固定用ピン3dが両係止用貫通穴1d，1d及び両ピストンロッド固定ピン用穴3ca，3caを挿通した状態となるまでピストンロッド固定用ピン3dを何れか一方のピストンロッド固定ピン用穴3caより挿入することによって図７及び図８に示す如くラチェット体３にピストンロッド１が固定される。
【００３９】
そして、このラチェット体３の両側壁部3c，3cには、図７及び図８に示す如くそのピストンロッド固定ピン用穴3caの後方の下縁にラチェット用ラック部3cbがそれぞれ形成されており、このラチェット用ラック部3cbは、その歯の谷部に挿入された後述するラチェット体係止板バネ６の係止爪6aにより上方へ押圧する力を常時付与されることによってラチェット体３自体が前後方向へ移動するのを阻止させると共に、ラチェット体係止板バネ６の係止爪6aが挿入された歯の谷部より前方に位置する歯の谷部に挿入された後述するレバー７の押圧体7cの押圧爪7caによって後述するラチェット体係止板バネ６の係止爪6aにより上方へ押圧する力より大きな力で前方へ押圧されることによりラチェット体３自体を前方へ移動せしめる。
【００４０】
このラチェット体３の両側壁部3cのラチェット用ラック部3cbとしては、前記の如く後述するラチェット体係止板バネ６によりラチェット体３自体が前後方向へ移動するのを阻止させることができると共に後述するレバー７によりラチェット体３自体を前方へ移動せしめることができるような複数の歯より成るラック状を成すものであれば特に限定されないが、図３〜図８に示す如くラチェット用ラック部3cbの歯の形状が、その谷部の前方側の辺の長さが後方側の辺の長さより短い形状を成していれば、円滑にラチェット体３を前方へ移動させることができるので好ましい。
【００４１】
また、図３〜図８に示す如くラチェット用ラック部3cbの後方に歯が存在しない平坦な部位が形成されていれば、後述するレバー７の押圧体7cの押圧爪7caがラチェット用ラック部3cbの最も後方側の歯の谷部に挿入された状態で、即ちピストンロッド１により歯牙修復材用カプセルＣのカプセル本体内において混合練和された歯牙修復材が最後に押し出される直前の状態で、押圧爪7caによって歯の谷部を前方へ押圧すると、後述するラチェット体係止板バネ６の係止爪6aはこのラチェット用ラック部3cbの後方に歯が存在しない平坦な部位に当接しラチェット体３の前後方向への移動を阻止することができない状態となるから、レバー７のレバー本体7aを小さな力で回転させることによりラチェット体３を自在に前後方向への移動させることができるので、ピストンロッド１により歯牙修復材用カプセルＣに付与される押圧力を調整することにより歯牙修復材用カプセルＣ内より押し出される歯牙修復材の量を自在に調整することができて好ましい。
【００４２】
これは、一般的にカプセル内で混合練和された歯牙修復材は、混合練和のための広いスペースが必要なのでカプセルの大きさに対しその量が少量であると共にその粘性が非常に高いので、一般的な歯牙修復材用カプセルＣの場合には、歯牙修復材用カプセルＣ内のプランジャー等の押圧部を前端に近い位置にまで前方へ摺動させた後でなければ、歯牙修復材用カプセルＣ内の歯牙修復材が押し出されないから、前記の如きラチェット用ラック部3cbの後方に歯が存在しない平坦な部位が形成されている態様において、後述するレバー７の押圧体7cの押圧爪7caがラチェット用ラック部3cbの最も後方側の歯の谷部に挿入された状態で、ピストンロッド１により歯牙修復材用カプセルＣ内のプランジャー等の押圧部を前端に近い位置、即ち歯牙修復材用カプセルＣ内の歯牙修復材が最後に押し出される直前の位置にまで移動させるように構成すれば、後述するレバー７のレバー本体7aの操作によって歯牙修復材用カプセルＣ内より押し出される歯牙修復材の量を自在に調整することができる。
【００４３】
そして、図示しないがこのラチェット体３の上方壁部3aや両側壁部3c，3cが、合成樹脂製の平滑な部材より成るものであったり、図３〜図５に示す如くラチェット体３の上方壁部3aの上面及び／又は両側壁部3c，3cのそれぞれの側面に、ハウジング本体５の案内路5cの内面と当接する合成樹脂製の平滑な摺動部材3eが貼着されていたりすれば、ラチェット体３が前後方向へ移動する際の後述するハウジング本体５の案内路5cとの摩擦力を低下させることができて好ましいばかりでなく、本発明装置全体の動作を円滑にすることができて好ましく、特にラチェット体３の上方壁部3aの上面及び／又は両側壁部3c，3cのそれぞれの側面に、ハウジング本体５の案内路5cの内面と当接する合成樹脂製の平滑な摺動部材3eが貼着されている態様では、ラチェット体３の上方壁部3aや両側壁部3c，3c等が金属製である場合には、ラチェット体３自体の剛性を落とすことなく、本発明装置全体の動作を円滑にすることができて好ましく、そしてこのような合成樹脂としては、シリコン系材料，フッ素化合物やポリオキシメチレン樹脂（ＰＯＭ）等の材料を用いることが望ましい。
【００４４】
４は漏れ防止カバー２の後面と前記ラチェット体３の前方壁部3bの前面との間に前記ピストンロッド１の外周に沿って配備された圧縮コイルスプリングであり、漏れ防止カバー２を前方へ押圧する力を常時付与することにより漏れ防止カバー２の前端開口部2aを後述するハウジング本体５の前端の装着部5aに装着された歯牙修復材用カプセルＣの後端部に当接させると共に、ラチェット体３を後方へ押圧する力を常時付与することにより後述するリリース体８を押圧して後述するラチェット体係止板バネ６及びレバー７とラチェット体３との係止状態を解除した際にラチェット体３を初期位置へ戻す役目を果たす。
【００４５】
この圧縮コイルスプリング４は、図７及び図８に示す如く漏れ防止カバー２の後面とラチェット体３の前方壁部3bの前面との間にピストンロッド１の外周に沿って配備され、ピストンロッド１の頭部1aが漏れ防止カバー２の収納部2bと当接した状態を維持させると共に、ラチェット体３が前方へ移動させられることにより漏れ防止カバー２の前端開口部2aが歯牙修復材用カプセルＣの後端部に当接するか及び／又は漏れ防止カバー２の大径部位2eの前端が後述するハウジング本体５の案内路5c内の前端に当接した後に、ラチェット体３を更に前方へ移動させると、ピストンロッド１の頭部1aが漏れ防止カバー２の収納部2bと当接した状態から漏れ防止カバー２の前端開口部2aより前方へ突出していくにつれ、漏れ防止カバー２の後面とラチェット体３の前方壁部3bの前面との間の距離が縮まって圧縮されることにより、後述するラチェット体係止板バネ６及びレバー７とラチェット体３との係止状態を解除した際に、ラチェット体３を初期位置へ戻すための押圧力を発生させるものである。
【００４６】
そして、このような圧縮コイルスプリング４と共に、例えば図６に示す如く後述するハウジング本体５の案内路5c内の前端側とラチェット体３の前方壁部3bとの間に、漏れ防止カバー２及び圧縮コイルスプリング４の外周に沿って補助圧縮コイルスプリング１０が配備されていたり、また図３〜図５に示す如く漏れ防止カバー２の後端外周に形成されているフランジ部2fとハウジング本体５の案内路5c内の前端との間の漏れ防止カバー２の外周に沿って、圧縮コイルスプリング４のバネ定数よりもバネ定数が小さい漏れ防止カバー用圧縮コイルスプリング１１が配備されていたりすれば、後述するリリース体８のボタン部8bを下方へ押圧してピストンロッド１及び漏れ防止カバー２を後方の初期位置へ戻す際に、補助圧縮コイルスプリング１０の場合には漏れ防止カバー２が挿通されているピストンロッド１が固定されたラチェット体３自体に後述するハウジング本体５の案内路5c内の前端側を基点として後方へ移行させる力が働き、また漏れ防止カバー用圧縮コイルスプリング１１の場合には、漏れ防止カバー２自体にハウジング本体５の案内路5c内の前端側を基点として後方へ移行させる力が働くと共にこの後方へ移行させる力が漏れ防止カバー２の後面を基点としてピストンロッド１が固定されたラチェット体３自体をも後方へ移行させる力が働くので、ピストンロッド１及び漏れ防止カバー２を後方の初期位置へ戻す際の動作性を格段に向上させることができて好ましいばかりでなく、仮りにピストンロッド１の外周や漏れ防止カバー２の外周等に粉体成分等が付着してしまったとしても、確実にピストンロッド１及び漏れ防止カバー２を後方の初期位置へ戻すことができるので好ましい。
【００４７】
５は上部に前端から後方に、歯牙修復材用カプセルＣが装着される装着部5aと、漏れ防止カバー２の小径部位2dを摺動自在に挿通する支持路5bと、ピストンロッド１，圧縮コイルスプリング４及びラチェット体３がラチェット体３の上方壁部3aが当接した状態で前後方向へ移動自在に配備される案内路5cとが順次設けられており、案内路5cの下方の両側壁にはレバー軸用貫通穴5dが、後端側にはグリップ部5eがそれぞれ設けられており、更に案内路5cの上方の位置であって且つラチェット体３が最も後方側に移動された初期位置に位置した際に少なくともラチェット体３のリリース体挿通部3aaと連通する位置にリリース体用開口部5fがそれぞれ形成されているハウジング本体であり、歯牙修復材用カプセルＣが装着されると共に各部材を支持する役目を果たす。
【００４８】
このハウジング本体５の上部の前端には、歯牙修復材用カプセルＣが装着される装着部5aが設けられており、この装着部5aとしては例えば図示しないが歯牙修復材用カプセルＣの後端部を把持するような形状であったり、歯牙修復材用カプセルＣの後端部を単に載置するような形状であったり、また図１〜図５に示す如く歯牙修復材用カプセルＣの後端部の外周に形成された溝部に係合するような係合部が支持路5bの前端側より突出して形成されていてもよい。
【００４９】
このハウジング本体５の前端の装着部5aの後方には、図３〜図６に示す如く漏れ防止カバー２の小径部位2dを摺動自在に挿通する支持路5bに続いてピストンロッド１，圧縮コイルスプリング４及びラチェット体３がラチェット体３の上方壁部3aが当接した状態で前後方向へ移動自在に配備される案内路5cが順次設けられており、図７及び図８に示す如く一体を成すように組立てられたピストンロッド１、漏れ防止カバー２、ラチェット体３及び圧縮コイルスプリング４は、図３〜図６に示す如く漏れ防止カバー２の小径部位2dを摺動自在に支持路5b内により支持された状態で、且つラチェット体３の両側壁部3c，3cのそれぞれのラチェット用ラック部3cb，3cbの歯の谷部を後述するラチェット体係止板バネ６の係止爪6a及びレバー７の押圧体7cの押圧爪7caにより上方へ押圧された状態で案内路5c内において前後方向へ移動自在に配備されている。
【００５０】
このハウジング本体５の案内路5cの下方の両側壁には、図１〜図６に示す如くレバー軸用貫通穴5dが、後端側にはグリップ部5eがそれぞれ設けられており、このレバー軸用貫通穴5dは後述するレバー７のレバー本体7aをレバー軸7aaにより回転自在に装着するためのものであり、そしてこのグリップ部5eはレバー７のレバー本体7aを操作する際に用いられるものであり、具体的には手の平をこのグリップ部5eの上部に当接させた状態でレバー７のレバー体7aを指の腹で上方へ移行させるようにして操作するのである。
【００５１】
そして、このハウジング本体５の案内路5cの上方の位置であって且つラチェット体３が最も後方側に移動された初期位置に位置した際に少なくともラチェット体３のリリース体挿通部3aaと連通する位置にリリース体用開口部5fが形成されており、このリリース体用開口部5fは図３〜図６に示す如くハウジング本体５の案内路5b内でラチェット体３の両側壁部3c，3c間に配備された後述するリリース体８のボタン部8bが挿通されるものである。
【００５２】
６は後端がハウジング本体５の案内路5cより後方に固定されていると共に前端にラチェット体３のラチェット用ラック部3cbの歯の谷部に挿入される係止爪6aが形成されており、ラチェット体３を上方へ押圧する力を常時付与してラチェット体３の前後方向への移動を阻止するラチェット体係止板バネであり、ハウジング本体５の案内路5c内に配備された図７及び図８に示す如き一体を成すように組立てられたピストンロッド１、漏れ防止カバー２、ラチェット体３及び圧縮コイルスプリング４、並びにラチェット体３の両側壁部3c，3c間に配備された後述するリリース体８を支持すると共に、後述するレバー７により前方へ移動したラチェット体３がその移動された位置を維持するように圧縮コイルスプリング４等の押圧力に抗してラチェット体３を係止する役目を果たす。
【００５３】
このラチェット体係止板バネ６は、後述するレバー７を操作していない状態では図３及び図６に示す如くその前端の係止爪6aがラチェット体３のラチェット用ラック部3cbの歯の谷部に挿入されると共にラチェット体３を上方へ押圧する力を常時付与することによりラチェット体３の前後方向への移動を阻止するのであるが、後述するレバー７が操作されてラチェット体３が前方へ移動されると、ラチェット体３のラチェット用ラック部3cbの歯の谷部に挿入されている係止爪6aは、ラチェット用ラック部3cbが前方へ移行するのに伴いラチェット用ラック部3cbの歯の山部により徐々に下方へ押圧され、そして更にラチェット用ラック部3cbが前方へ移行されることにより係止爪6aがラチェット用ラック部3cbの歯の頂点を過ぎると、一歯だけ後方の歯の谷部に挿入されて再びラチェット体３の前後方向への移動を阻止する状態となるのである。
【００５４】
７はハウジング本体５のレバー軸用貫通穴5dに固定されたレバー軸7aaに回転自在に装着されたレバー本体7aと、レバー軸7aaの外周に沿って配備されレバー本体7aのレバー軸7aaより後方側が下方へ回転する力を常時付与する捩りバネ7bと、一端部がレバー本体7aのレバー軸7aaより後方側に軸支され他端に形成されている押圧爪7caをラチェット体係止用板バネ６の係止爪6aより前方に位置するラチェット体３のラチェット用ラック部3cbの歯の谷部に挿入される力をレバー本体7aとの間に設けられた押圧体用バネ7cbにより常時付与されている押圧体7cとから成り、レバー本体7aのレバー軸7aaよりも後方側の部位が捩りバネ7bにより付与された回転する力，圧縮コイルスプリング４及びラチェット体係止板バネ６の押圧する力に抗してレバー本体7aのレバー軸7aaよりも後方側の部位が上方に回転されると、押圧体7cの押圧爪7caがラチェット体３のラチェット用ラック部3cbの歯の谷部を前方へ押圧してラチェット用ラック部3cbの歯を一歯だけ前方へ移動せしめると共に、レバー本体7aのレバー軸7aaよりも後方側の部位を上方に回転させる力が解除されると、押圧体7cの押圧爪7caにより移動せしめられたラチェット用ラック部3cbの歯の一歯後方の歯の谷部に押圧体7cの押圧爪7caが挿入せしめられてレバー本体7aが初期位置に復帰せしめられるレバーであり、漏れ防止カバー２を前方へ移動させることにより漏れ防止カバー２の前端開口部2aをハウジング本体５の装着部5aに装着された歯牙修復材用カプセルＣの後端部に当接させると共に、ピストンロッド１を前方へ移動させることにより歯牙修復材用カプセルＣの後端部を押圧する役目を果たす。
【００５５】
このレバー７のレバー本体7aは、図１〜図６に示す如くハウジング本体５のレバー軸用貫通穴5dに固定されたレバー軸7aaに回転自在に装着されていると共に、レバー軸7aaの外周に沿って配備され捩りバネ7bによってレバー本体7aのレバー軸7aaより後方側が下方へ回転する力を常時付与されており、このレバー７を操作してラチェット体３を前方へ移動させる際には、レバー本体7aを捩りバネ7b、圧縮コイルスプリング４及びラチェット体係止板バネ６に抗して、また補助圧縮コイルスプリング１０や漏れ防止カバー用圧縮コイルスプリング１１が設けられている場合にはそれらにも抗して上方に回転せしめられる。
【００５６】
そして、このレバー７のレバー本体7aのレバー軸7aaより後方側には、図３〜図６に示す如く他端に形成されている押圧爪7caをラチェット体係止用板バネ６の係止爪6aより前方に位置するラチェット体３のラチェット用ラック部3cbの歯の谷部に挿入される力をレバー本体7aとの間に設けられた押圧体用バネ7cbにより常時付与されている押圧体7cの一端部が軸支されており、この押圧体7cは、その押圧体用バネ7cbの押圧力によりラチェット体３の両側壁部3c，3c間に配備された後述するリリース体８を前記ラチェット体３と共に支持し、そして前記の如くレバー本体7aのレバー軸7aaよりも後方側の部位が上方に回転させられると、その押圧爪7caによりラチェット体３のラチェット用ラック部3cbの歯の谷部を前方へ押圧してラチェット用ラック部3cbの歯を一歯だけ前方へ移動せしめる。
【００５７】
またこの押圧体7cは、その押圧体用バネ7cbによりラチェット体３のラチェット用ラック部3cbの歯の谷部に挿入される力を常時付与されているから、レバー本体7aのレバー軸7aaよりも後方側の部位を上方に回転させる力が解除されると、前方へ移動したラチェット体３はラチェット体係止板バネ６によりラチェット体３の前後方向への移動を阻止された状態となり、レバー本体7aのレバー軸7aaよりも後方側の部位がその捩りバネ7bによって初期位置に復帰する際に下方へ回転させられるに伴い、その押圧爪7caは押圧体用バネ7cbに抗してラチェット用ラック部3cbの歯の山部により徐々に下方へ押圧され、そして更に下方へ回転させられることにより押圧爪7caがラチェット用ラック部3cbの歯の頂点を過ぎると、一歯だけ後方の歯の谷部に挿入されて再びラチェット体３の前方への移動させることができる状態となるのである。
【００５８】
そして、図示しないがレバー７の押圧体7cの押圧体用バネ7cbが、押圧体7cとレバー本体7aとの間に配備された圧縮コイルバネであったり、図３〜図６に示す如く押圧体7cとレバー本体7aとの間に配備された板バネであったりすれば、ハウジング本体５やレバー７等の形状に合わせて適宜押圧体用バネ7cbを選択することができて好ましい。
【００５９】
８はラチェット体３の両側壁部3c，3c間に配備された押圧部8aとその上方に連続して形成され押圧部8aの移動方向と直角な横断面の面積よりもその横断面の面積が小さく且つハウジング本体５のリリース体用開口部5fより突出されたボタン部8bとから成り、ボタン部8bを下方に押圧することにより押圧部8aで、ラチェット体３のラチェット用ラック部3cbの歯の谷部に挿入されているラチェット体係止板バネ６の係止爪6a及びレバー７の押圧体7cの押圧爪7caを下方へ移行させてラチェット用ラック部3cbとの係止状態を解除するリリース体であり、ラチェット体３を後方へ移動させてピストンロッド１及び漏れ防止カバー２を初期位置へ復帰させる役目を果たす。
【００６０】
このリリース体８は、図１〜図６に示す如くそのボタン部8bがハウジング本体５のリリース体用開口部5fより突出された状態で且つその押圧部8aの下端がチェット体３のラチェット用ラック部3cbの歯の谷部に挿入されているラチェット体係止板バネ６の係止爪6a及びレバー７の押圧体7cの押圧爪7caの上方に位置する状態でラチェット体３の両側壁部3c，3c間に配備されており、そしてこのリリース体８のボタン部8bを下方へ押圧することにより、リリース体８の押圧部8aが下方へ移行するのに伴い、ラチェット体３のラチェット用ラック部3cbの歯の谷部に挿入されているラチェット体係止板バネ６の係止爪6a及びレバー７の押圧体7cの押圧爪7caを下方へ移行させてラチェット用ラック部3cbとの係止状態を解除するので、漏れ防止カバー２の後面とラチェット体３の前方壁部3bの前面との間の距離が縮まっていることにより圧縮された圧縮コイルスプリング４の押圧力によって、また補助圧縮コイルスプリング１０や漏れ防止カバー用圧縮コイルスプリング１１が設けられている場合にはそれらの押圧力にもよって、ラチェット体３が後方へと押戻されて初期位置へと移動せしめられる。
【００６１】
そしてリリース体８のボタン部8bが、その下方に連続して形成された押圧部8aの移動方向と直角な横断面の面積よりもその横断面の面積が小さく形成されているのは、仮りにボタン部8bの移動方向と直角な横断面の面積が押圧部8aの移動方向と直角な横断面の面積よりも大きかった場合には、押圧部8aがハウジング本体５のリリース体用開口部5f内に入り込んでしまったり、押圧部8aがハウジング本体５のリリース体用開口部5fより抜け出てしまったりすることにより、リリース体８自体がハウジング本体５の案内部5cから離脱してしまうおそれがあるからである。
【００６２】
９はリリース体８によりラチェット体係止板バネ６の係止爪6a及びレバー７の押圧体7cの押圧爪7caのラチェット用ラック部3cbとの係止状態が解除された際に圧縮コイルスプリング４の押圧する力によって後方に移動せしめられたラチェット体３を初期位置で停止するように規制せしめるストッパー手段であり、ラチェット体３が圧縮コイルスプリング４の押圧する力によって後方に移動せしめられた際に勢い余ってラチェット体３が初期位置よりも後方へ移動してしまうことにより、ピストンロッド１，漏れ防止カバー２，ラチェット体３及び圧縮コイルスプリング４がハウジング本体５の案内路5c内より飛び出してしまったり、漏れ防止カバー２の前端側の小径部位2dがハウジング本体５の支持路5bから離脱してしまったりすることを防止する役目を果たす。
【００６３】
このストッパー手段９としては、例えば図示しないがハウジング本体５の案内路5cの後端にラチェット体３を初期位置で停止するように規制せしめるための突起が別途設けられていてもよいが、図３〜図６に示す如く後方に移動せしめられたラチェット体３の上方壁部3aのリリース体挿通部3aaの前端がリリース体８のボタン部8bに当接するか、及び／又は後方に移動せしめられたラチェット体３に固定されたピストンロッド１の後端がリリース体８の押圧部8aに当接することにより、ラチェット体３を初期位置で停止するように規制せしめるストッパー手段であれば、ラチェット体３の上方壁部3aのリリース体挿通部3aaとリリース体８のボタン部8bとの形状や押圧部8aの形状を変更するだけでストッパー手段とすることができて好ましい。
【００６４】
次に、このような構成の本発明に係るカプセル内で混合練和された歯牙修復材の押出し装置の使用方法について説明する。
初めに準備として、図４に示す如くラチェット体３が初期位置よりも前方に存在する場合、言い換えればピストンロッド１及び漏れ防止カバー２がハウジング本体５の支持路5bより突出している場合には、ラチェット体３を初期位置へ復帰させる操作を行う。
【００６５】
この操作は、リリース体８のボタン部8bを下方へ押圧することによって行われるものであり、より具体的にはリリース体８のボタン部8bを下方へ押圧すると、リリース体８の押圧部8aでラチェット体３のラチェット用ラック部3cbの歯の谷部に挿入されているラチェット体係止板バネ６の係止爪6a及びレバー７の押圧体7cの押圧爪7caが下方へ移行されてラチェット用ラック部3cbとの係止状態が解除され、漏れ防止カバー２の後面とラチェット体３の前方壁部3bの前面との間の距離が縮まっていることにより圧縮された圧縮コイルスプリング４の押圧力によって、また補助圧縮コイルスプリング１０や漏れ防止カバー用圧縮コイルスプリング１１が設けられている場合にはそれらの押圧力にもよって、ラチェット体３が後方へと押し戻されて初期位置へと移動せしめられ、そしてストッパー手段９により後方に移動せしめられたラチェット体３は初期位置で停止するように規制せしめられる。
【００６６】
次に、図３及び図６に示す如くラチェット体３が初期位置に位置する状態において、カプセル内に所定量づつ隔離されて収納されている歯科用セメントの如き歯牙修復材を構成する粉末成分と液体成分とが自動練和機等により混合練和された後の歯牙修復材用カプセルＣを、ハウジング本体５の前端の装着部5aに装着する操作を行う。
【００６７】
この操作は、例えば図１〜図６に示す如くハウジング本体５の装着部5aとして歯牙修復材用カプセルＣの後端部の外周に形成された溝部に係合するような係合部が支持路5bの前端側より突出して形成されている装着部5aである場合には、図５に示す如く歯牙修復材用カプセルＣの後端部の溝部を装着部5aの係合部に係合させて装着することによって行われる。
【００６８】
このような準備が完了した後に、先ずハウジング本体５の装着部5aに装着された歯科修復材用カプセルＣの後端部に漏れ防止カバー２の前端開口部2aを当接させる操作を行う。
この操作は、歯牙修復材用カプセルＣ内に収容されている歯牙修復材を押し出すための通常のレバー操作と同様に、捩りバネ7bにより付与された回転する力，圧縮コイルスプリング４及びラチェット体係止板バネ６の押圧する力に抗して、また補助圧縮コイルスプリング１０や漏れ防止カバー用圧縮コイルスプリング１１が設けられている場合にはそれらにも抗して、レバー７のレバー本体7aよりも後方側の部位を上方に回転させることによって行われる。
【００６９】
この際、レバー７のレバー本体7aよりも後方側の部位を上方に回転させると、レバー本体7aのレバー軸7aaより後方側にその一端部が軸支され押圧体7cの他端に形成されている押圧爪7caがラチェット体３のラチェット用ラック部3cbの歯の谷部を前方へ押圧してラチェット用ラック部3cbの歯を一歯だけ前方へ移動せしめるのであるが、図７及び図８に示す如くこのラチェット体３に固定されたピストンロッド１の頭部1aにより更に前方へ移動できないような状態でピストンロッド１が挿入されている漏れ防止カバー２は、漏れ防止カバー２の後面とラチェット体３の前方壁部3bの前面との間にピストンロッド１の外周に沿って配備された圧縮コイルスプリング４によって、常時前方へ押圧された状態で且つその収納部2bの内面がピストンロッド１の頭部1aの当接した状態となっているから、このような状態でラチェット体３を前方へ移動させると、図４に示す如く漏れ防止カバー２はその収納部2bの内面がピストンロッド１の頭部1aの当接した状態でハウジング本体５の支持路5b内を前方へ摺動し、そして最終的にその前端開口部2aが歯科修復材用カプセルＣの後端部に当接する。
【００７０】
またこの際、図３〜図５に示す如く漏れ防止カバー２の後端外周に形成されているフランジ部2fとハウジング本体５の案内路5c内の前端との間の漏れ防止カバー２の外周に沿って、圧縮コイルスプリング４のバネ定数よりもバネ定数が小さい漏れ防止カバー用圧縮コイルスプリング１１が配備されている態様の場合には、レバー７のレバー本体7aよりも後方側の部位を上方に回転させることによりラチェット体３を前方へ移動させると、ハウジング本体５の案内路5c内の前端とラチェット体３の前方壁部3bの前面との間の距離が縮まることにより圧縮コイルスプリング４及び漏れ防止カバー用圧縮コイルスプリング１１の押圧力が増すのであるが、この圧縮コイルスプリング４のバネ定数よりも漏れ防止カバー用圧縮コイルスプリング１１のバネ定数が小さいから、圧縮コイルスプリング４の押圧力に負けて先に防止カバー用圧縮コイルスプリング１１が圧縮されるから、フランジ部2fとハウジング本体５の案内路5c内の前端との間の距離が先に縮まった後に、漏れ防止カバー２の後面とラチェット体３の前方壁部3bの前面との間の距離が縮まるので、漏れ防止カバー２はハウジング本体５の支持路5b内を前方へ摺動し、そして最終的にその前端開口部2aが歯科修復材用カプセルＣの後端部に当接する。
【００７１】
次に、レバー７のレバー本体7aよりも後方側の部位を上方に回転させる操作を繰り返し行うことによりピストンロッド１を前方へ移動させて歯牙修復材用カプセルＣ内に収容されている歯牙修復材を押し出す操作を行う。
【００７２】
この操作は、先ず前記ハウジング本体５の装着部5aに装着された歯科修復材用カプセルＣの後端部に漏れ防止カバー２の前端開口部2aを当接させる操作と同様に、捩りバネ7bにより付与された回転する力，圧縮コイルスプリング４及びラチェット体係止板バネ６の押圧する力に抗して、また補助圧縮コイルスプリング１０や漏れ防止カバー用圧縮コイルスプリング１１が設けられている場合にはそれらにも抗して、レバー７のレバー本体7aよりも後方側の部位を上方に回転させる操作を行うことにより、レバー本体7aのレバー軸7aaより後方側にその一端部が軸支された押圧体7cの他端に形成されている押圧爪7caがラチェット体３のラチェット用ラック部3cbの歯の谷部を前方へ押圧してラチェット用ラック部3cbの歯を一歯だけ前方へ移動せしめると、ラチェット体３に固定されたピストンロッド１もラチェット用ラック部3cbの歯を一歯だけ前方へ移動させる操作である。
【００７３】
この際、押圧爪7caが挿入されているラチェット体３のラチェット用ラック部3cbの歯の谷部よりも後方に位置する歯の谷部に挿入されているラチェット体係止用板バネ６の係止爪6aは、ラチェット用ラック部3cbが前方へ移行するのに伴いラチェット用ラック部3cbの歯の山部により徐々に下方へ押圧され、そして更にラチェット用ラック部3cbが前方へ移行されることにより係止爪6aがラチェット用ラック部3cbの歯の頂点を過ぎると、一歯だけ後方の歯の谷部に挿入されて再びラチェット体３の前後方向への移動を阻止する状態となるから、ラチェット体３に固定されたピストンロッド１もラチェット用ラック部3cbの歯を一歯だけ前方へ移動した状態を維持する。
【００７４】
次に、このような状態からレバー７のレバー本体7aのレバー軸7aaよりも後方側の部位を上方に回転させる力を解除されると、ラチェット体３のラチェット用ラック部3cbの歯の谷部に挿入されているラチェット体係止用板バネ６の係止爪6aにより、ラチェット体３は前後方向への移動を阻止される状態となっているから、押圧体用バネ7cbによりラチェット体３のラチェット用ラック部3cbの歯の谷部に挿入される力を常時付与されている押圧体7cは、レバー本体7aがその捩りバネ7bによって初期位置に復帰する際に下方へ回転させられるに伴い、その押圧爪7caは押圧体用バネ7cbに抗してラチェット用ラック部3cbの歯の山部により徐々に下方へ押圧され、そして更に下方へ回転させられることにより押圧爪7caがラチェット用ラック部3cbの歯の頂点を過ぎると、一歯だけ後方の歯の谷部に挿入されて再びラチェット体３の前方への移動させることができる状態となる。
【００７５】
次いで、このようなレバー７のレバー本体7aよりも後方側の部位を上方に回転させる操作、及びレバー７のレバー本体7aのレバー軸7aaよりも後方側の部位を上方に回転させる力を解除する操作を繰り返し行うことにより、ラチェット体３に固定されたピストンロッド１を次々に前方への移動させることによって、図５に示す如く歯牙修復材用カプセルＣ内に収容されている歯牙修復材を押し出せばよいのである。
【００７６】
この際、歯牙修復材用カプセルＣが押圧されて歯牙修復材用カプセルＣのカプセル本体内において混合練和されずに残留した粉体成分等が歯牙修復材用カプセルＣの後端部から一気に噴出したとしても、図５に示す如く漏れ防止カバー２の前端開口部2aは既に歯科修復材用カプセルＣの後端部に当接した状態となっているので、噴出した粉体成分等は、漏れ防止カバー２の存在により外方へ噴出することなくピストンロッド１のスリット1cや貫通孔1bの開口からピストンロッド１の貫通孔1bを経てハウジング本体５内へと至るので、粉体成分等が患者や歯科医の顔面にかかってしまったり患者や歯科医が誤って吸引してしまったりすることを防止することができる。
【００７７】
最後に、所望の量の歯牙修復材を歯牙修復材用カプセルＣより押し出した後に、ハウジング本体５の装着部5aに装着された使用済みの歯牙修復材用カプセルＣを離脱可能な状態にしたい場合には、リリース体８を下方に押圧することによりラチェット体３を後方へ移動させてピストンロッド１及び漏れ防止カバー２を初期位置へ復帰させる操作を行うことにより歯牙修復材用カプセルＣのカプセル本体内に挿入されているピストンロッド１の前端部を歯牙修復材用カプセルＣのカプセル本体内から抜き出させる。
【００７８】
この操作は、リリース体８のボタン部8bを下方へ押圧すると、ボタン部8bに連続して形成されている押圧部8aが下方へ移行するのに伴い、ラチェット体３のラチェット用ラック部3cbの歯の谷部に挿入されているラチェット体係止板バネ６の係止爪6a及びレバー７の押圧体7cの押圧爪7caを下方へ移行させてラチェット用ラック部3cbとの係止状態が解除されるので、漏れ防止カバー２の後面とラチェット体３の前方壁部3bの前面との間の距離が縮まっていることにより圧縮された圧縮コイルスプリング４の押圧力によって、また補助圧縮コイルスプリング１０や漏れ防止カバー用圧縮コイルスプリング１１が設けられている場合にはそれらの押圧力にもよって、ラチェット体３が後方へと押し戻されて初期位置へと移動せしめられ、そしてストッパー手段９により後方に移動せしめられたラチェット体３は初期位置で停止するように規制せしめられる。
【００７９】
かくして、リリース体８を下方に押圧することによりラチェット体３を後方へ移動させてピストンロッド１及び漏れ防止カバー２を初期位置へ復帰させられた後に、ハウジング本体５の装着部5aに装着された使用済みの歯牙修復材用カプセルＣを離脱すればよい。
【図面の簡単な説明】
【００８０】
【図１】本発明に係るカプセル内で混合練和された歯牙修復材の押出し装置１の実施例を示す側面説明図である。
【図２】図１の平面説明図である。
【図３】図１の拡大側断面説明図である。
【図４】図３に示す本発明に係る本カプセル内で混合練和された歯牙修復材の押出し装置においてピストンロッドを前方へ移動させた状態を示す側断面説明図である。
【図５】図３に示す本発明に係るカプセル内で混合練和された歯牙修復材の押出し装置において歯牙修復材用カプセルを装着し歯牙修復材を押し出した状態を示す側断面説明図である。
【図６】本発明に係るカプセル内で混合練和された歯牙修復材の押出し装置の他の実施例を示す側断面説明図である。
【図７】本発明に用いられるピストンロッド、漏れ防止カバー、ラチェット体、及び圧縮コイルスプリングを組み立てた状態を示す一部断面側面説明図である。
【図８】図７の底面説明図である。
【符号の説明】
【００８１】
１  ピストンロッド
1a  頭部
1b  貫通孔
1c  スリット
1d  係止用貫通穴
２  漏れ防止カバー
2a  前端開口部
2b  収納部
2c  挿通穴
2d  小径部位
2e  大径部位
2f  フランジ部
３  ラチェット体
3a  上方壁部
3aa  リリース体挿通部
3b  前方壁部
3ba  ピストンロッド挿通穴
3c  両側壁部
3ca  ピストンロッド固定ピン用穴
3cb  ラチェット用ラック部
3d  ピストンロッド固定用ピン
3e  摺動部材
４  圧縮コイルスプリング
５  ハウジング本体
5a  装着部
5b  支持路
5c  案内路
5d  レバー軸用貫通穴
5e  グリップ部
5f  リリース体用開口部
６  ラチェット体係止板バネ
6a  係止爪
７  レバー
7a  レバー本体
7aa  レバー軸
7b  捩りバネ
7c  押圧体
7ca  押圧爪
7cb  押圧体用バネ
８  リリース体
8a  押圧部
8b  ボタン部
９  ストッパー手段
１０  補助圧縮コイルスプリング
１１  漏れ防止カバー用圧縮コイルスプリング
Ｃ  歯牙修復材用カプセル
【図１】
0004489695.tif 000002
【図２】
0004489695.tif 000003
【図３】
0004489695.tif 000004
【図４】
0004489695.tif 000005
【図５】
0004489695.tif 000006
【図６】
0004489695.tif 000007
【図７】
0004489695.tif 000008
【図８】
0004489695.tif 000009